(57)【要約】  本発明は、前面開口部を備えたヘルメット本体と、サンバイザーと、水平軸に対してバイザーを回転可能に操作する回転操作機構とを備えた、サンバイザー付きの自動二輪車用保護ヘルメットに関する。サンバイザーは、当該サンバイザーがヘルメット本体の内側に配置されている無効上方位置と、サンバイザーがヘルメット使用者の目の前に配置されている有効下方位置との間で回転する。
2021504601.tif 000002
【特許請求の範囲】
【請求項１】
前面開口部が設けられたヘルメット本体（１）と、
サンバイザー（２）と、
水平軸に対して前記サンバイザー（２）を回転させる回転操作機構であって、当該サンバイザーが前記ヘルメット本体（１）の内側に配置されている無効上方位置と、前記サンバイザーが使用者の目の前に配置されている有効下方位置との間において回転させる回転操作機構と、
を備え、
前記ヘルメット本体（１）の前記前面開口部（１１）の側部には、サンバイザー（２）を、異なる高さで手動によって位置決めするとともに、前記下方位置に向けての回転を制限するストッパ（３）が設けられており、
前記ストッパに対する前記サンバイザー（２）の接触によって、前記ストッパ（３）の位置に応じて異なる前記有効下方位置に、前記サンバイザーを位置決めする、サンバイザー付き自動二輪車用保護ヘルメットであって、
前記サンバイザー（２）の前記ストッパ（３）は、鉛直方向に移動可能な状態でガイド（４）に配設されており、
前記ストッパ（３）および前記ガイドは、ストッパ（３）を様々な高さの位置に保持するための相補的な保持部（３１、４１）を有し、
前記相補的な保持部は、ストッパ（３）と一体である突起（３１）と、ストッパ（３）の可能な保持位置を決定する狭窄部が設けられた溝（４１）であって、該突起（３１）が溝（４１）に沿って移動できるように構成された溝（４１）とから構成されている、ことを特徴とするヘルメット。
【請求項２】
前記サンバイザー（２）を操作するための操作機構は、前記ヘルメット本体（１）に固定されたベース部（５）と、前記サンバイザー（２）の対応する端部に固定され、前記ベース部（５）に対して回転可能に配設された支持部（６）と、前記サンバイザーの支持部（６）を操作するための操作レバー（７）とを備え、
前記操作レバーは、前記ヘルメット本体（１）に対して回転可能にその一方の端部に組み立てられ、前記サンバイザーの上方位置と下方位置との間で前記サンバイザー（２）の支持部（６）を操作する操作部を備えていることを特徴とする請求項１に記載のヘルメット。
【請求項３】
前記操作部は、前記操作レバー（７）に形成され、前記サンバイザー（２）の前記支持部（６）の溝（６２）に収容された突起（７１）を備える、ことを特徴とする請求項２に記載のヘルメット。
【請求項４】
前記ベース部（５）は、その回転動作中に、前記サンバイザー（２）の支持部（６）の付属物部（６１）の動きをガイドするガイド（５１）を備える、ことを特徴とする請求項２に記載のヘルメット。
【請求項５】
前記サンバイザー（２）は、前記サンバイザー（２）の支持部（６）のアンカー（６３）に固定するためのクリップ（２１）を備える、ことを特徴とする請求項２に記載のヘルメット。
【発明の詳細な説明】
【発明の詳細な説明】
【０００１】
〔発明の目的〕
本発明の目的は、サンバイザーを備えた自動二輪車用保護ヘルメットであって、前面開口部が設けられたヘルメット本体と、サンバイザーと、前記サンバイザーを水平軸に対して回転可能に操作する回転操作機構とを備え、前記サンバイザーが、前記ヘルメット本体の内側に配置されている無効上方位置と、前記サンバイザーが前記ヘルメットの使用者の目の前方に配置されている有効下方位置との間にある。
【０００２】
本発明はサンバイザーの位置を有効下方位置の異なる複数の位置から選択できるようにした特徴を有し、その結果、前記下方位置において、サンバイザーはユーザの顔の特徴に適した高さに配置され、サンバイザーがユーザの鼻または顔に接触することを防止し、目を太陽光線から保護することを保証する。
【０００３】
〔発明の適用分野〕
本発明は、自動二輪車用の保護ヘルメット、特にサンバイザーを備えたヘルメットの製造用の分野に適用可能である。
【０００４】
〔従来技術〕
自動二輪車用保護ヘルメットは外部の保護スクリーンに加えて、ソーラーフィルターとして作用し、無効上方位置と、使用者の目の前に配置される有効下方位置との間で回転可能にヘルメットに取り付けられるサンバイザーを内部に組み込んだ様々なモデルが、現在市販されている。
【０００５】
このタイプの保護ヘルメットの従来技術は、特許文献ＥＳ２３５２８１２Ｔ３に記載されている。
【０００６】
このタイプのヘルメットに見られる主な欠点の１つは、ユーザの顔の特徴に応じて、下方位置においてサンバイザーが目を十分に覆わないか、または逆にユーザの鼻または顔に当たることが生じる場合がある。
【０００７】
したがって、考慮されている技術的課題はサンバイザーの下方位置を調節することを可能にする自動二輪車用の保護ヘルメットの開発に関し、その結果、前記下方位置において、サンバイザーは、それぞれの場合においてユーザの顔の特徴に適した、より高いまたはより低い高さに配置され、ユーザの鼻または顔との接触を防止する。
【０００８】
本発明の出願人は本発明において請求されるものと同様の特徴を有し、示された問題を解決する保護ヘルメットの市場における存在を知らないことに言及しなければならない。
【０００９】
〔発明の説明〕
上述の欠点を解決するために、本発明の保護ヘルメットはサンバイザーの下方位置を調節することを可能にする特徴を有し、その結果、前記下方位置において、サンバイザーは異なる高さに配置され、ユーザは自分にとって最も快適であり、自分の顔の特徴に最も適したサンバイザーの下方位置を選択することができる。
【００１０】
本発明のサンバイザーを備えた自動二輪車用保護ヘルメットは、前面開口部が設けられたヘルメット本体と、サンバイザーと、前記サンバイザーを水平軸に対して回転可能に操作する回転操作機構とを備え、前記サンバイザーが、前記ヘルメット本体の内側に配置された無効上方位置と、前記サンバイザーが前記ヘルメットの使用者の目の前方に配置された有効下方位置との間にあるタイプのものである。
【００１１】
本発明によれば、提案された目的を達成するために、前記ヘルメット本体は、前記正面開口部の側部にストッパを備える。当該ストッパは、前記サンバイザーを、異なる高さに手動で位置決めするために、前記サンバイザーの下方位置に向かう回転を制限する。前記サンバイザーと前記ストッパとの接触によって、前記ストッパの位置に応じた様々な前記サンバイザーの有効下方位置を画定する。
【００１２】
このようにして、ユーザはサンバイザーを下方位置に向かって操作するたびに、前記サンバイザーがストッパ内に入り込み、所定の高さに配置されるように、ストッパの可能な高さ位置のうちの１つを選択するだけでよく、この場合、サンバイザーは、ユーザの鼻または顔に当たる程度ではなく、ユーザに適切な太陽光保護を提供する。
【００１３】
添付の特許請求の範囲に記載される本発明のこれらおよび他の特徴は、以下に記載される図面に示される実施形態を考慮して、より明確に理解されるのであろう。
【００１４】
〔図面の簡単な説明〕
実施されている説明を補完するために、また、本発明の特徴を理解するのを助けるために、図面が本明細書に添付されており、本明細書では、以下の図面が例示的かつ非限定的な特徴で示されている。
【００１５】
図１は、本発明による自動二輪車用の保護ヘルメットの簡略化された部分正面図を示し、ヘルメットの側部の１つに対応する、サンバイザー回転用の回転操作機構を示しており、この状態において前記サンバイザーは無効上方位置にある。
【００１６】
図２は、前述のものと同様の図であり、サンバイザーが有効下方位置にある状態を示しており、この図の状態において、サンバイザーは最も下端の位置にある。
【００１７】
図３は、サンバイザーを回転可能に操作する回転操作機構の詳細を示す正面図であり、この場合、ヒンジの下方位置を調節するためのストッパの１つが区分されている。
【００１８】
図４は、ヘルメットの外部側から見た回転操作機構とサンバイザーの分解斜視図である。
【００１９】
図５は、内側から見た、先の図と同様の図を示す。
【００２０】
図６は、サンバイザーの下方位置を調節するためのストッパの１つの拡大された正面斜視詳細を示す図であり、前記ストッパは、３つの可能な位置の下方位置に描かれている。
【００２１】
図７は、内側から見た、３つの可能な位置の中間位置に配置された、前の図のストッパの詳細を示す。
【００２２】
図８及び図９は、図１と同様のそれぞれの図を示し、サンバイザーは下方位置に向かうバイザーの動きを制限するために、中間位置及びストッパの上方位置にそれぞれ対応する２つの異なった高さで、下方閉鎖位置に配置されている状態を示す。
【００２３】
〔発明を実施するための形態〕
図１及び図２に示すように、サンバイザーを備えた自動二輪車用保護ヘルメットは、前面開口部（１１）を備えた本体（１）と、サンバイザー（２）と、水平軸に対してサンバイザー（２）を回転させる回転操作機構とを備える。回転操作機構は、図１に示す無効上方位置であって、前記サンバイザーがヘルメット本体（１）の内側に配置されている無効上方位置と、図２に示すようにサンバイザーが使用者の目の前方に配置されている有効下方位置との間で、水平軸に対してサンバイザー（２）を回転させる。
【００２４】
ヘルメット本体（１）は、前部開口部（１１）の側部に複数のストッパ（３）を備える。ストッパ（３）は、図６及び図７により詳細に示されている。これらのストッパは、異なる高さに手動で位置決めすることができ、サンバイザ（２）の下方位置に向かう回転を制限する。ストッパにサンバイザ（２）を接触させることによって、前記ストッパ（３）の位置に応じて、サンバイザーを異なる有効下方位置に位置決めする。
【００２５】
図示する例では、側面の各々のストッパ（３）が次の３つの異なる位置にサンバイザーを配置させることができる。すなわち、サンバイザ（２）が図１に描かれた端部下方位置に到達する下部位置、サンバイザ（２）が図８に描かれた位置に配置され、図１よりわずかに高い位置に配置される中間位置、およびサンバイザ（２）が図９に描かれた位置に配置され、図８よりもわずかに高い位置に配置される上方位置である。
【００２６】
したがって、ストッパ（３）を手動で下、中間、または上のいずれかの位置に位置決めすることによって、サンバイザーは、下方位置においてより小さめの高さまたはより大きめの高さに配置される。
【００２７】
図６および図７に見られるように、サンバイザー（２）のストッパ（３）は、鉛直方向に移動することができるようにガイド（４）に組みつけられており、前記ストッパ（３）および前記ガイド（４）には、ストッパ（３）を様々な高さの位置に保持するための相補的な保持部（３１、４１）を有する。
【００２８】
具体的には図３において、前記相補的な保持部は、ストッパ（３）と一体のラグ（３１）と、狭窄部を備えたチャネル（４１）とによって構成され、チャネル（４１）に沿った移動が可能で、ストッパ（３）の３つの保持位置を決定する。
【００２９】
ヘルメットの両側に配置され、図４および図５に分解図で示されている、サンバイザー（２）を操作する操作機構は、ヘルメット本体（１）に固定されたベース部（５）と、バイザー（２）の対応する端部に固定された支持部（６）であって、ベース部（５）に対して回転可能に設けられた支持部（６）と、ヘルメット本体（１）に対して回転可能にその一方の端部に組み立てられ、サンバイザー（２）の支持部（６）を前記サンバイザーの上方位置と下方位置との間で操作するための操作部を備えた、サンバイザーの支持部（６）を操作するための操作レバー（７）と、を備える。
【００３０】
支持部を操作するための操作部は、操作レバー（７）内に画定され、サンバイザー（２）の支持部（６）の溝（６２）内に収容された突起（７１）を備え、Ｕ字形レバーをその端部の一方の周りで回転させることによって、サンバイザーの支持部（６）が前記サンバイザー（２）と共に反対側の端部の周りで回転し、サンバイザーが操作レバー（７）と同じ上方または下方に回転することができ、したがって、サンバイザーを上方位置および下方位置に回転させるためのレバーの操作が、直感的な操作で実現できる。
【００３１】
ベース部（５）は、ガイド（５１）を有し、回転中のサンバイザー（２）の支持部（６）の付属部（６１）の動きをガイドする。
【００３２】
サンバイザー（２）は、該サンバイザー（２）の支持部（６）のアンカー（６３）に固定するためのクリップ（２１）を含む。
【００３３】
発明の性質及びその好ましい実施形態を十分に説明した上で、以下に主張する発明の本質的特徴の変更を伴わない限り、説明する素子の材料、形状、サイズ及び配置を修正してもよいことをここでは目的に応じて述べる。
【図面の簡単な説明】
【００３４】
【図１】本発明による自動二輪車用の保護ヘルメットの簡略化された部分正面図を示し、ヘルメットの側部の１つに対応する、サンバイザー回転用の回転操作機構を示しており、この状態において前記サンバイザーは無効上方位置にある。
【図２】前述のものと同様の図であり、サンバイザーが有効下方位置にある状態を示しており、この図の状態において、サンバイザーは最も下端の位置にある。
【図３】サンバイザーを回転させるための回転操作機構の詳細を示す正面図であり、この場合、ヒンジの下方位置を調節するためのストッパの１つが区分されている。
【図４】ヘルメットの外部側から見た回転操作機構とサンバイザーの分解斜視図である。
【図５】内側から見た、先の図と同様の図を示す。
【図６】サンバイザーの下方位置を調節するためのストッパの１つの拡大された正面斜視詳細を示す図であり、前記ストッパは、３つの可能な位置の下方位置に描かれている。
【図７】内側から見た、３つの可能な位置の中間位置に配置された、前の図のストッパの詳細を示す。
【図８】図１と同様の図を示し、サンバイザーは下方位置に向かうバイザーの動きを制限するために、中間位置に対応する高さで、下方の閉鎖位置に配置されている状態を示す。
【図９】図１と同様の図を示し、サンバイザーは下方位置に向かうバイザーの動きを制限するために、図８の中間位置とは異なる位置であるストッパの上方位置に対応する高さで、下方の閉鎖位置に配置されている状態を示す。
【図１】
2021504601.tif 000003
【図２】
2021504601.tif 000004
【図３】
2021504601.tif 000005
【図４】
2021504601.tif 000006
【図５】
2021504601.tif 000007
【図６】
2021504601.tif 000008
【図７】
2021504601.tif 000009
【図８】
2021504601.tif 000010
【図９】
2021504601.tif 000011
【国際調査報告】
2021504601.tif 000012
2021504601.tif 000013
2021504601.tif 000014
2021504601.tif 000015